(57)【要約】【課題】タッチパネル用の操作位置検出機構を利用して、固定的に描かれた操作子を、タッチパネルと同じような態様で操作でき、且つタッチパネル画面に表示された操作子と並行して操作できるようにする。【解決手段】中央操作部Ｃの凹部３２には、表示装置９が配設されると共に表示装置９の画面外枠９ｂにシート３０の内枠３０ｃが嵌合してシート３０が装着される。表示装置９の画面部９ａには画面表示スイッチ９ｃが表示され、シート３０の表面３０ａには固定表示スイッチ３１が描かれている。凹部３２の後部の左右端部に配設される一対の光学センサ１８は、再帰反射枠２６を利用した三角測量方式により、画面部９ａ及び表面３０ａにおける全範囲を並行してスキャンしてユーザの操作位置を検出し、検出した操作位置に位置が一致した画面表示スイッチ９ｃまたは固定表示スイッチ３１に割り当てられた機能が実行される。【選択図】図２
2008116760.tif 000002
【特許請求の範囲】
【請求項１】
操作子を電子的に表示させる画面部と、
前記画面部とは別の操作領域と、
前記操作領域に固定的に描かれた固定表示操作子と、
前記画面部及び前記操作領域を並行して光学的にスキャンし、前記画面部及び前記操作領域に対するユーザのタッチ操作位置を検出する光学検出手段と、
前記光学検出手段により検出されたタッチ操作位置が、前記画面部に表示された操作子に対応する位置である場合は、該操作子に対応付けられている機能を実行する一方、前記検出されたタッチ操作位置が、前記固定表示操作子に対応する位置である場合は、該固定表示操作子に対応付けられている機能を実行する機能実行手段とを有することを特徴とする電子音楽装置。
【発明の詳細な説明】
【技術分野】
【０００１】
本発明は、画面タッチパネルを備えた電子音楽装置に関する。
【背景技術】
【０００２】
従来、電子楽器等の電子音楽装置において、操作パネル面に、物理的な操作子を複数備えるものが一般的である。このような装置の操作子では、プッシュ式も広く知られており、ある程度の押圧力で押圧して押し込むことで操作がなされ、その操作子に対応した指示等の機能が実行される。
【０００３】
また、画面上に操作子を表示させて操作を受け付けるタッチパネルを備えた電子音楽装置も知られている（下記特許文献１、２）。この種の装置に搭載されるタッチパネルは、画面表示された操作子に触れることでその操作位置が検出され、検出された位置に対応する操作子が操作されたことになり、押し込み操作は不要である。
【０００４】
一方、タッチパネルを利用したカード入力装置も知られている（下記特許文献３）。このカード入力装置では、透明なタッチパネルの下に、表面に文字や図形が描かれたカードを装着し、タッチパネルの上からタッチすると、その位置に対応したデータがメモリから読み出されるようになっている。この装置では、タッチパネルと同じ位置検出機構を用いて、実質的に、カードに描かれた操作子を操作することが可能である。
【特許文献１】実開平０２−８１５９３号公報
【特許文献２】特開昭６２−１８６２９７号公報
【特許文献３】特開２００５−７８５６９号公報
【発明の開示】
【発明が解決しようとする課題】
【０００５】
しかしながら、上記特許文献３においては、タッチパネル上の操作位置を検出する機構は、専ら、カード表面に対する操作位置の検出に用いられる。従って、例えば、タッチパネルに画面表示された操作子と、これら画面上の操作子とは別に印刷等で固定的に描かれた操作子の操作を並行して受け付け可能にするようなものではなかった。
【０００６】
本発明は上記従来技術の問題を解決するためになされたものであり、その目的は、タッチパネル用の操作位置検出機構を利用して、固定的に描かれた操作子を、タッチパネルと同じような態様で操作でき、且つタッチパネル画面に表示された操作子と並行して操作することができる電子音楽装置を提供することにある。
【課題を解決するための手段】
【０００７】
上記目的を達成するために本発明の請求項１の電子音楽装置は、操作子（９ｃ）を電子的に表示させる画面部（９ａ）と、前記画面部とは別の操作領域（３０ａ）と、前記操作領域に固定的に描かれた固定表示操作子（３１）と、前記画面部及び前記操作領域を並行して光学的にスキャンし、前記画面部及び前記操作領域に対するユーザのタッチ操作位置を検出する光学検出手段（１８）と、前記光学検出手段により検出されたタッチ操作位置が、前記画面部に表示された操作子に対応する位置である場合は、該操作子に対応付けられている機能を実行する一方、前記検出されたタッチ操作位置が、前記固定表示操作子に対応する位置である場合は、該固定表示操作子に対応付けられている機能を実行する機能実行手段（５）とを有することを特徴とする。
【０００８】
なお、上記括弧内の符号は例示である。
【０００９】
さらに、以下のような改良が考えられる。
（ａ）請求項１において、前記画面部の操作子の表示は切り替え可能であり、表示され得る操作子毎に機能が割り当てられている。
（ｂ）請求項１において、前記固定表示操作子が表示された異なる種類のシートが選択的に装着可能で、且つ実装されたシートが前記操作領域を提供するように構成され、装着されるシートに応じてモードを切り替える手段を有し、モードによって、各シートに表示された固定表示操作子毎に機能が割り当てられる。
（ｃ）上記（ｂ）の構成において、実装されたシートの種類を自動識別する手段と、識別されたシートの種類に応じたモードを自動設定する手段とを有する。
（ｄ）上記（ｂ）の構成において、前記光学検出手段は、再帰反射枠を用いたものであり、前記再帰反射枠の内側に、前記シートの外縁を嵌合させることで、前記シートの位置決めがなされる。
（ｅ）上記（ｂ）の構成において、前記画面部は突出しており、前記シートには、前記画面部に対応する内枠が形成され、前記シートの内枠を前記画面部に嵌合することで、前記シートの位置決めがなされる。
（ｆ）上記（ｅ）の構成において、前記シートの内枠を前記画面部に嵌合したとき、前記シートの表面と前記画面部の表面とが面一となる。
【発明の効果】
【００１０】
本発明によれば、タッチパネル用の操作位置検出機構を利用して、固定的に描かれた操作子を、タッチパネルと同じような態様で操作でき、且つタッチパネル画面に表示された操作子と並行して操作することができる。
【発明を実施するための最良の形態】
【００１１】
以下、本発明の実施の形態を図面を参照して説明する。
【００１２】
（第１の実施の形態）
図１は、本発明の第１の実施の形態に係る電子音楽装置の全体構成を示すブロック図である。図２（ａ）は、本電子音楽装置の平面図である。本電子音楽装置は、例えば、電子鍵盤楽器２０として構成される。
【００１３】
電子鍵盤楽器２０は、図１に示すように、検出回路３、検出回路４、ＲＯＭ６、ＲＡＭ７、タイマ８、表示装置９、外部記憶装置１０、ＭＩＤＩインターフェイス（ＭＩＤＩＩ／Ｆ）１１、通信インターフェイス（通信Ｉ／Ｆ）１２、光学センサインターフェイス（Ｉ／Ｆ）１７、音源回路１３及び効果回路１４が、バス１６を介してＣＰＵ５にそれぞれ接続されて構成される。
【００１４】
さらに、検出回路３には、音高情報を入力するための鍵盤ＫＢを構成する演奏操作子１が接続され、検出回路４には、各種情報を入力するための複数のハードスイッチ２が接続されている。表示装置９は液晶ディスプレイ（ＬＣＤ）等で構成され、楽譜や文字等の各種情報を表示する。ＣＰＵ５にはタイマ８が接続され、ＭＩＤＩＩ／Ｆ１１には他のＭＩＤＩ機器１００が接続されている。通信Ｉ／Ｆ１２には通信ネットワーク１０１を介してサーバコンピュータ１０２が接続され、音源回路１３には効果回路１４を介してサウンドシステム１５が接続されている。光学センサＩ／Ｆ１７には、一対の光学センサ１８（１８Ｌ、１８Ｒ）が接続される。
【００１５】
検出回路３は演奏操作子１の操作状態を検出し、検出回路４はハードスイッチ２の操作状態を検出する。ＣＰＵ５は、本装置全体の制御を司る。ＲＯＭ６は、ＣＰＵ５が実行する制御プログラムや各種テーブルデータ等を記憶する。ＲＡＭ７は、演奏データ、テキストデータ等の各種入力情報、各種フラグやバッファデータ及び演算結果等を一時的に記憶する。タイマ８は、タイマ割り込み処理における割り込み時間等の各種時間を計時する。外部記憶装置１０は、上記制御プログラムを含む各種アプリケーションプログラムや各種楽曲データ、各種データ等を記憶する。
【００１６】
ＭＩＤＩＩ／Ｆ１１は、他のＭＩＤＩ機器１００等の外部装置からのＭＩＤＩ（Musical Instrument Digital Interface）信号を入力したり、ＭＩＤＩ信号を外部装置に出力したりする。通信Ｉ／Ｆ１２は、通信ネットワーク１０１を介して、例えばサーバコンピュータ１０２とデータの送受信を行う。音源回路１３は、演奏操作子１から入力された演奏データや予め設定された演奏データ等を楽音信号に変換する。効果回路１４は、音源回路１３から入力される楽音信号に各種効果を付与し、ＤＡＣ（Digital-to-Analog Converter）やアンプ、スピーカ等で構成されるサウンドシステム１５は、効果回路１６から入力される楽音信号等を音響に変換する。
【００１７】
外部記憶装置１０としては、例えば、フレキシブルディスクドライブ（ＦＤＤ）、ハードディスクドライブ（ＨＤＤ）、ＣＤ−ＲＯＭドライブ及び光磁気ディスク（ＭＯ）ドライブ等を挙げることができる。光学センサＩ／Ｆ１７は、光学センサ１８で検出されるユーザによる操作位置の情報をＣＰＵ５に送る。
【００１８】
図２（ａ）に示すように、電子鍵盤楽器２０には、上記鍵盤ＫＢ（図１参照）が設けられる。以降、電子鍵盤楽器２０の鍵盤ＫＢがある側を前側とし、左右方向については、鍵盤ＫＢの前に居る不図示の奏者を基準として呼称する。
【００１９】
図２（ａ）に示すように、電子鍵盤楽器２０の上面は、概ね平坦なパネル面２４となっており、パネル面２４の左右端部に、上記サウンドシステム１５（図１参照）の一部を構成するスピーカ２３、２３が配設される。鍵盤ＫＢの後方であって、パネル面２４の左右方向中央部には、中央操作部Ｃが設けられる。中央操作部Ｃには、シート３０が含まれる。また、パネル面２４において、中央操作部Ｃ以外の場所に、上記ハードスイッチ２（図１参照）と電源スイッチ２１とが設けられる。これらハードスイッチ２及び電源スイッチ２１は、押圧式乃至押し込み式の物理的スイッチである。
【００２０】
図２（ｂ）は、図２（ａ）のＡ−Ａ線に沿う断面図である。図３は、シート３０が装着される様子を示す中央操作部Ｃの斜視図である。
【００２１】
図２（ｂ）、図３に示すように、中央操作部Ｃは、パネル面２４に対して段差を成す平面視長方形の凹部３２を有し、該凹部３２の周囲のうち前部及び左右端部が再帰反射枠２６となっている。この凹部３２のほぼ中央に、上記表示装置９（図１参照）が配設され、表示装置９の上端部が、凹部３２の底面２５よりも上方に突出している。表示装置９において、底面２５よりも突出している部分の前後左右の外面が、画面外枠９ｂである。再帰反射枠２６は、少なくとも表示装置９の上面である画面部９ａよりも高い位置に形成されている。
【００２２】
また、凹部３２の適所、例えば、前部右端部には、装着されたシート３０の種類を識別するための複数の識別穴２７（２７Ａ、２７Ｂ、２７Ｃ）が形成されている。
【００２３】
図２（ａ）、図３に示すように、表示装置９の上面である画面部９ａには、操作子である画面表示スイッチ９ｃが電子的に複数表示される。画面部９ａの内容は、後述するように、モード（例えば、通常演奏モード、自動演奏モード、ガイド演奏モード等）によっても異なるし、画面表示スイッチ９ｃの操作によっても、階層が変わる等によって、表示される画面表示スイッチ９ｃも逐次変わり得る。従って、画面表示スイッチ９ｃは、画面部９ａに表示され得る操作子の総称である。個々の画面表示スイッチ９ｃには、操作されたときに実行される機能が割り当てられている。画面表示スイッチ９ｃに割り当てられる機能の例としては、例えば、楽曲、音色または効果の選択乃至設定機能が挙げられる。画面部９ａは、階層的に選択操作ができるようになっており、一例を挙げると、楽曲については、まずアーティスト等の大分類、次の階層でアルバム等の中分類、さらに次の階層で各楽曲等の小分類を選択できるようになっている。
【００２４】
凹部３２には、シート３０が配設される。シート３０は、図３にシート３０Ａ、３０Ｂ、３０Ｃが示されているように、複数種類があり、その中から１つを選択して凹部３２に装着する。各シート３０の平面視形状は共通で、その外縁形状は、凹部３２乃至再帰反射枠２６に嵌合的な長方形である。さらに、中央には、画面外枠９ｂに対応した長方形の穴である内枠３０ｃが形成されている。
【００２５】
また、各シート３０の裏面３０ｂには、装着時に識別穴２７Ａ〜２７Ｃのいずれか嵌合する突起３３が１つ設けられている。突起３３の位置は、シート３０の種類毎に異なっていて、識別穴２７のいずれかに対応した位置に設けられる。本実施の形態では、識別穴２７は３つとしたので、３種類のシート３０を識別することができる。識別穴２７による識別の手法は問わない。例えば、突起３３が嵌合した識別穴２７についてだけ、電気信号が遮断される等によって、どの種類のシート３０が装着されたかが識別される。また、本実施の形態では、識別されたシート３０に応じて、ＣＰＵ５によってモードが自動設定される。なお、シート３０の種類は３つに限られない。
【００２６】
なお、シート３０の自動識別のための構成は、突起３３と識別穴２７との組み合わせに限定されない。例えば、シート３０に切り欠きを設けてもよい。あるいは、バーコードやＩＣタグを設けて、それらを電子鍵盤楽器２０側で読み取るようにしてもよい。
【００２７】
シート３０の表面３０ａには、複数の固定表示スイッチ３１が印刷により描かれている。種類の異なるシート３０毎に、描かれている固定表示スイッチ３１が異なっている。なお、固定表示スイッチ３１は、電子鍵盤楽器２０の使用時において視認可能に固定的に常時表示されていればよい。また、完全に平面的なものでなくてもよく、刻印等によってわずかに立体的に描かれたものであってもよい。
【００２８】
所望のシート３０を、凹部３２に載置する際、表示装置９の画面外枠９ｂにシート３０の内枠３０ｃが嵌合して、該シート３０の前後左右方向の位置決めがなされる。従って、装着が容易である。なお、シート３０の外縁と再帰反射枠２６とが嵌合してシート３０の位置決めがなされるように構成してもよい。シート３０が装着されると、シート３０の表面３０ａと表示装置９の画面部９ａとは面一となる（図２（ｂ）参照）。シート３０の材料は問わず、可撓性の有無も問わない。
【００２９】
上記一対の光学センサ１８Ｌ、１８Ｒ（図１参照）は、凹部３２の後部の左右端部に配設される。本実施の形態では、公知の光学検出手法を用いて、指等の操作位置の検出を行う。具体的には、一例として、イーアイーティー社の赤外線イメージセンサ方式（〔平成１８年１０月１日検索〕、インターネット＜http://www.e-it.co.jp/products/_form.html＞）を用いる。再帰反射枠２６は、受けた光が入射した方向へ帰るように構成された公知のものである。この方式では、再帰反射枠２６内、すなわち凹部２６内に指等が存在すると、光学センサ１８Ｌ、１８Ｒ及び再帰反射枠２６を利用した三角測量方式により、指等が位置する座標が検出される。
【００３０】
シート３０の表面３０ａは、中央操作部Ｃの、表示装置９の画面部９ａを除く部分において、操作領域を提供する。表面３０ａと画面部９ａとは面一で、いずれも再帰反射枠２６の内側に位置する。ユーザは、画面部９ａに表示された画面表示スイッチ９ｃまたは表面３０ａに描かれた固定表示スイッチ３１を指等で任意にタッチすることで操作する。光学センサ１８は、シート３０の表面３０ａ及び画面部９ａの全範囲を同時にスキャンし、ユーザの指の位置を検出する。そして、検出した位置にある画面表示スイッチ９ｃまたは固定表示スイッチ３１に割り当てられている機能が実行される。
【００３１】
ところで、上記したように、設定されるモードに応じて、画面部９ａに表示される画面表示スイッチ９ｃは変わり得、固定表示スイッチ３１に対する機能の割り当ても変わり得る。あるいは、画面部９ａに表示される画面表示スイッチ９ｃが同じであっても、モードに応じて、個々の画面表示スイッチ９ｃに対する機能の割り当てが変わるようにしてもよい。また、モードの設定は、手動によって行えるようにしてもよい。
【００３２】
固定表示スイッチ３１に割り当てられる機能は限定されないが、階層的に変化し得る画面部９ａの画面表示スイッチ９ｃとは異なり、固定的な機能を割り当てるのが望ましい。固定表示スイッチ３１の個々には、例えば、再生、停止、早送り、早戻り等の機能を割り当てる。また、固定表示スイッチ３１の操作により、画面部９ａが下の階層に切り替わって別の画面表示スイッチ９ｃが表示されていくようにし、固定表示スイッチ３１と画面表示スイッチ９ｃとが有機的に連動するように構成してもよい。一方、ハードスイッチ２には、モード設定等、画面表示スイッチ９ｃ、固定表示スイッチ３１のいずれとも異なる機能が固定的に割り当てられている。なお、画面表示スイッチ９ｃ、固定表示スイッチ３１の数は、必ずしも複数に限られるものではない。
【００３３】
図４は、本実施の形態においてＣＰＵ５によって実行されるメインルーチンのフローチャートを示す図である。本処理は電源スイッチ２１のオンにより開始される。
【００３４】
図４において、まず、初期化を実行、すなわち所定プログラムの実行を開始し、ＲＡＭ７等の各種レジスタに初期値を設定して初期設定を行う（ステップＳ１０１）。次いで、後述する図５の操作検出処理を実行する（ステップＳ１０２）。すなわち、ハードスイッチ２、画面表示スイッチ９ｃ、固定表示スイッチ３１の操作を検出する。次に、後述する図６のパネル処理を実行する（ステップＳ１０３）。すなわち、検出した操作に応じて、画面表示の更新等の処理を含む機能処理を実行する。
【００３５】
次に、鍵盤操作検出、すなわち、鍵盤ＫＢの操作を検出して（ステップＳ１０４）、音源回路１３、効果回路１４、サウンドシステム１５による楽音発音制御を実行する（ステップＳ１０５）。すなわち、鍵盤ＫＢの操作や演奏データに基づく演奏信号を生成して、設定された効果処理を付加し、増幅して出力する等の発音処理を実行する。その後、前記ステップＳ１０２に戻る。
【００３６】
図５は、図４のステップＳ１０２で実行される操作検出処理のフローチャートである。まず、ステップＳ２０１〜Ｓ２０３では、ハードスイッチ２の操作イベントを検出し、操作イベントがあった場合にのみ、ハードスイッチ２のうち操作されたものに対応する機能フラグを反転（オン）させる。
【００３７】
続くステップＳ２０４では、光学センサ１８による操作検出を行う。ここでは、上述したように、シート３０の表面３０ａと表示装置９の画面部９ａの全範囲を並行してスキャンし、ユーザの指のタッチ操作の有無及びその位置を検出する。そして、操作イベントがあれば（ステップＳ２０５）、検出した操作位置が画面部９ａ外（すなわち、シート３０の表面３０ａ）におけるいずれかの固定表示スイッチ３１の位置に一致するか否かを判別する（ステップＳ２０６）。そして、いずれかに一致する場合にのみ、一致する固定表示スイッチ３１に割り当てられている機能フラグを反転させる（ステップＳ２０７）。
【００３８】
一方、検出した操作位置が固定表示スイッチ３１の位置に一致しない場合は、検出した操作位置が画面部９ａ内におけるいずれかの画面表示スイッチ９ｃの位置に一致するか否かを判別する（ステップＳ２０８）。そして、いずれかに一致する場合にのみ、一致する画面表示スイッチ９ｃに割り当てられている機能フラグを反転させる（ステップＳ２０９）。
【００３９】
なお、操作イベントはあったが、検出した操作位置が固定表示スイッチ３１、画面表示スイッチ９ｃの位置からずれていた場合は、機能フラグは反転しない（ステップＳ２０６→Ｓ２０８→終了）。
【００４０】
図６は、図４のステップＳ１０３で実行されるパネル処理のフローチャートである。この処理では、まず、機能フラグのうち、反転（オン）しているものに対応する機能処理を実行する（ステップＳ３０１、Ｓ３０２）。また、その機能処理が、画面表示に関するものである場合は、画面表示の更新も行う（ステップＳ３０３、Ｓ３０４）。対応する機能処理が実行された機能フラグについては、反転（オフ）して（ステップＳ３０５）、本処理を終了する。
【００４１】
本実施の形態によれば、光学センサ１８が、シート３０の表面３０ａ及び表示装置９の画面部９ａの全範囲を並行してスキャンしてユーザの操作位置を検出し、操作位置に位置が一致した画面表示スイッチ９ｃまたは固定表示スイッチ３１に割り当てられた機能が実行される。従って、いわゆるタッチパネル用の操作位置検出機構を利用して、固定的に描かれた操作子である固定表示スイッチ３１を、タッチパネルと同じような態様で操作でき、且つ画面表示スイッチ９ｃと並行して操作することができる。固定表示スイッチ３１はプッシュ式等でなくてもよく、物理的なスイッチ素子、回路及び検出装置等が不要である。しかも、固定表示スイッチ３１の操作検出には、光学センサ１８による光学検出機構が兼用されるので、構成が簡単で済む。
【００４２】
また、モードに応じて、画面表示スイッチ９ｃ、固定表示スイッチ３１に対する機能の割り当てが変わり得るので、多機能を実現でき、特に画面部９ａにおいては階層的な操作も可能である。
【００４３】
また、シート３０の種類の自動識別機構（識別穴２７と突起３３）を設け、モードが自動設定されるようにしたので、シート３０の交換により固定表示スイッチ３１の機能を自動で容易に切り替えることができ、しかも、画面表示スイッチ９ｃの機能も連動して切り替え可能である。
【００４４】
また、表示装置９の画面外枠９ｂとシート３０の内枠３０ｃとが嵌合されて、シート３０の位置決めがなされるので、簡単な構成でありながらシート３０の装着が容易であるだけでなく、光学センサ１８が把握する操作位置と固定表示スイッチ３１との位置関係が適切となり、高い検出精度が確保される。しかも、シート３０が装着されると、表面３０ａと画面部９ａとは面一となるので、光学センサ１８による赤外線の妨げとならず、検出精度に悪影響を与えないで済む。
【００４５】
（第２の実施の形態）
本発明の第２の実施の形態では、中央操作部Ｃにおいて、シートの構成と、表示装置９の高さが第１の実施の形態とは異なり、その他の構成は同様である。
【００４６】
図７は、本発明の第２の実施の形態に係る電子音楽装置における中央操作部Ｃの断面図であり、図２（ｂ）に対応している。
【００４７】
図７に示すように、表示装置９の上面である画面部９ａは、中央操作部Ｃの凹部３２の底面２５と面一になっている。また、シート３０に相当するシート１３０が凹部３２に配設される。シート１３０の外郭形状はシート３０と同じであるが、内枠３０ｃに相当する穴は形成されておらず、一様な厚みに構成されている。シート１３０は透明な材料で構成され、ユーザからシート１３０を通じて画面部９ａが視認できるようになっている。
【００４８】
なお、シート１３０のうち、少なくとも画面部９ａに対応する部分だけが透明であればよい。シート１３０の表面１３０ａのうち画面部９ａに対応する領域以外の領域には、シート３０と同様に、固定表示スイッチ３１が描かれている（図示せず）。なお、固定表示スイッチ３１は表面１３０ａ側から視認できればよく、シート１３０が透明であるので、シート１３０の内部または裏面１３０ｂに描かれていてもよい。また、シート１３０は、第１の実施の形態と同様に複数種類設けられ、各シート１３０に突起３３も設けられている。
【００４９】
シート１３０は、装着されたとき、その裏面１３０ｂが、面一となっている底面２５と画面部９ａとに対して面当接する。また、シート１３０の外枠１３０ｃが、凹部３２の内枠（再帰反射枠２６に連設されている部分）に嵌合されることで、シート１３０の前後左右の位置決めがなされている。再帰反射枠２６の面が位置決めにも兼用されることで、構成の複雑化が回避されている。
【００５０】
本実施の形態においては、一対の光学センサ１８は、再帰反射枠２６を利用した三角測量方式により、シート１３０の表面１３０ａにおける全範囲をスキャンしてユーザの操作位置を検出する。表面１３０ａには、画面部９ａの領域が包含されているから、画面部９ａ上の操作も検出されることになる。そして、第１の実施の形態と同様に、検出した操作位置に位置が一致した画面表示スイッチ９ｃまたは固定表示スイッチ３１に割り当てられた機能が実行される。
【００５１】
本実施の形態によれば、第１の実施の形態と同様の効果を奏することができる。
【００５２】
なお、上記各実施の形態では、固定表示スイッチ３１はシート３０、１３０に描かれていたが、シートを用いない構成であってもよい。すなわち、パネル面２４における光学センサ１８によるスキャン可能な領域内に、固定表示スイッチ３１を直接描いてもよい。
【００５３】
あるいは、電子鍵盤楽器２０に光投影装置を設け、電子鍵盤楽器２０の使用時において、上方からシート３０に光を照射する等によって、固定表示スイッチ３１に相当する絵柄をシート３０の表面３０ａに投影によって描き出すようにしてもよい。
【００５４】
なお、上記各実施の形態では、固定表示スイッチ３１が含まれる操作領域の内側に画面部９ａの領域が包囲乃至包含される構成であったが、これに限られない。すなわち、固定表示スイッチ３１が含まれる操作領域と画面部９ａの領域とは、隣接していてもよいし、接していなくてもよい。また、一方の領域が他方の領域の一部だけを包囲乃至包含する形態であってもよい。結局、光学センサ１８によるスキャン可能な領域内に、両領域を設ければよい。
【００５５】
なお、上記各実施の形態において、鍵盤ＫＢの複数の演奏操作子１についても、固定表示スイッチ３１と同様に、物理的な操作子ではなく、印刷等によって固定的に描き、光学センサ１８によるスキャンによってそれらの操作が検出されるように構成してもよい。
【００５６】
なお、画面部９ａを含む平坦な領域をスキャンできる機構であれば、どのような光学検出機構を採用してもよい。例えば、縦横双方から赤外線を発射して位置を検出する赤外線マトリクス方式、あるいは、赤外線の照射方向を順次変化させて位置を検出する赤外線走査方式等を採用してもよい。
【００５７】
なお、本発明は、鍵盤楽器等の電子楽器だけでなく、ミキサ、カラオケ装置、携帯型通信端末装置等の各種の電子音楽装置に広く適用可能である。
【図面の簡単な説明】
【００５８】
【図１】本発明の第１の実施の形態に係る電子音楽装置の全体構成を示すブロック図である。
【図２】本電子音楽装置の平面図（図（ａ））、図（ａ）のＡ−Ａ線に沿う断面図（図（ｂ））である。
【図３】シートが装着される様子を示す中央操作部の斜視図である。
【図４】本実施の形態においてＣＰＵによって実行されるメインルーチンのフローチャートを示す図である。
【図５】図４のステップＳ１０２で実行される操作検出処理のフローチャートである。
【図６】図４のステップＳ１０３で実行されるパネル処理のフローチャートである。
【図７】本発明の第２の実施の形態に係る電子音楽装置における中央操作部の断面図である。
【符号の説明】
【００５９】
５  ＣＰＵ（機能実行手段）、  ９  表示装置、  ９ａ  画面部、  ９ｃ  画面表示スイッチ（操作子）、  １８  光学センサ（光学検出手段）、  ３０  シート、  ３０ａ  表面（操作領域）、  ３１  固定表示スイッチ（固定表示操作子）
【図１】
2008116760.tif 000003
【図２】
2008116760.tif 000004
【図３】
2008116760.tif 000005
【図４】
2008116760.tif 000006
【図５】
2008116760.tif 000007
【図６】
2008116760.tif 000008
【図７】
2008116760.tif 000009